(57)【要約】【課題】生産性の低下なしに、レーザ照射装置の発振レーザの出力不均一による縞の歪みを最小化することができる有機電界発光表示装置及びその製造方法を提供する。【解決手段】有機電界発光表示装置に含まれた隣接した２つの画素にそれぞれ位置する駆動トランジスタの半導体層が互いに異なる長手方向に延長される。よって、有機電界発光表示装置の縞の歪みを改善することができる。【選択図】図２
2011085925.tif 000002
【特許請求の範囲】
【請求項１】
複数のスキャンラインと、
前記スキャンラインと交差する複数のデータラインと、
前記スキャンラインとデータラインとが交差する領域に位置する複数の画素と、を含み、
前記複数の画素は、それぞれ有機電界発光ダイオード、ゲート電極が前記スキャンラインに接続されて一側電極が前記データラインに接続されるスイッチングトランジスタ、前記有機電界発光ダイオードと電源電圧供給ライン間に接続されてゲート電極が前記スイッチングトランジスタの他側電極に接続される駆動トランジスタ、及び前記駆動トランジスタのゲート電極と電源電圧供給ライン間に接続されるキャパシタを含み、
前記スキャンラインまたはデータラインに沿って隣接した２つの画素は前記駆動トランジスタの半導体層が互いに異なる長手方向に延長することを特徴とする有機電界発光表示装置。
【請求項２】
前記スイッチングトランジスタ及び駆動トランジスタは、それぞれソース／ドレイン領域及びチャンネル領域を有する半導体層、前記半導体層のソース／ドレイン領域に電気的に接続されるソース／ドレイン電極、前記半導体層のチャンネル領域に対応するように位置するゲート電極及び前記半導体層とゲート電極との間に位置するゲート絶縁膜を含むことを特徴とする請求項１に記載の有機電界発光表示装置。
【請求項３】
前記スイッチングトランジスタ及び駆動トランジスタは、同一構造を有することを特徴とする請求項２に記載の有機電界発光表示装置。
【請求項４】
前記複数の画素は、前記隣接した画素の駆動トランジスタの半導体層が延長する長手方向との間の角度差が一定であることを特徴とする請求項１に記載の有機電界発光表示装置。
【請求項５】
前記スイッチングトランジスタの半導体層及び前記駆動トランジスタの半導体層は、レーザによって結晶化された多結晶シリコンであることを特徴とする請求項１に記載の有機電界発光表示装置。
【請求項６】
前記スイッチングトランジスタの半導体層及び前記駆動トランジスタの半導体層は、前記スキャンラインまたはデータラインに平行に形成された結晶粒境界を有することを特徴とする請求項５に記載の有機電界発光表示装置。
【請求項７】
前記スキャンライン及びデータラインに沿って隣接した画素の駆動トランジスタの半導体層が互いに異なる長手方向に延長することを特徴とする請求項１に記載の有機電界発光表示装置。
【請求項８】
データドライバからデータ信号を伝達するための複数のデータラインとスキャンドライバからスキャン信号を伝達するための複数のスキャンラインとが交差する領域に位置し、半導体層、ゲート絶縁膜、ソース／ドレイン電極及びゲート電極を備える複数の薄膜トランジスタによって有機電界発光ダイオードの発光を調節する複数の画素を含む有機電界発光表示装置において、
前記複数の画素のうち前記スキャンラインまたはデータラインに沿って隣接した少なくとも２つの画素は、前記有機電界発光ダイオードに電気的に接続された薄膜トランジスタの半導体層が互いに異なる長手方向に延長することを特徴とする有機電界発光表示装置。
【請求項９】
前記複数の画素は、それぞれ有機電界発光ダイオード、前記データ信号を保存するためのキャパシタ、前記データ信号による駆動電流を前記有機電界発光ダイオードに印加するための駆動トランジスタ及び前記スキャン信号によって前記データ信号を前記駆動トランジスタのゲート端子に印加するためのスイッチングトランジスタを含み、
前記スキャンラインまたはデータラインに沿って隣接した２つの画素の駆動トランジスタの半導体層は互いに異なる長手方向に延長することを特徴とする請求項８に記載の有機電界発光表示装置。
【請求項１０】
前記複数の画素は、隣接した画素の有機電界発光ダイオードに電気的に接続された薄膜トランジスタの半導体層が延長する長手方向との間の角度差が一定であることを特徴とする請求項８に記載の有機電界発光表示装置。
【請求項１１】
前記薄膜トランジスタの半導体層は、レーザによって結晶化された多結晶シリコンであることを特徴とする請求項８に記載の有機電界発光表示装置。
【請求項１２】
前記薄膜トランジスタの半導体層は、前記スキャンラインまたはデータラインに平行に形成された結晶粒境界を有することを特徴とする請求項１１に記載の有機電界発光表示装置。
【請求項１３】
前記スキャンライン及びデータラインに沿って隣接した画素の有機電界発光ダイオードに電気的に接続された薄膜トランジスタの半導体層の延長する長手方向が互いに異なることを特徴とする請求項８に記載の有機電界発光表示装置。
【請求項１４】
複数のデータライン、複数のスキャンライン及び前記データラインとスキャンラインとが交差する領域に位置する複数の画素を含む有機電界発光表示装置の製造方法において、
基板を提供する工程と、
前記基板上に、第１半導体層、ゲート絶縁膜、第１ソース／ドレイン電極、第２ソース／ドレイン電極及び第１ゲート電極を含むスイッチングトランジスタと第２半導体層、ゲート絶縁膜、第３ソース／ドレイン電極、第４ソース／ドレイン電極及び第２ゲート電極を含む駆動トランジスタを形成する工程と、
前記スイッチングトランジスタの第１ゲート電極に接続される複数のスキャンライン及び前記スイッチングトランジスタの第１ソース／ドレイン電極または第２ソース／ドレイン電極に接続される複数のデータラインを形成する工程と、
前記スイッチングトランジスタ及び駆動トランジスタ上に保護膜を形成する工程と、
前記保護膜上に、前記駆動トランジスタの第３ソース／ドレイン電極または第４ソース／ドレイン電極に接続される下部電極、１つまたは複数の発光層を含む有機膜層及び上部電極を含む有機電界発光ダイオードを形成する工程と、を含み、
前記スキャンラインまたはデータラインに沿って隣接した２つの画素に位置する第２半導体層が互いに異なる長手方向に延長するように形成することを特徴とする有機電界発光表示装置の製造方法。
【請求項１５】
前記スイッチングトランジスタの第１半導体層及び前記駆動トランジスタの第２半導体層は、レーザを用いて非晶質シリコンを多結晶シリコンに結晶化して形成することを特徴とする請求項１４に記載の有機電界発光表示装置の製造方法。
【請求項１６】
前記非晶質シリコンの結晶化に用いられるレーザは、前記スキャンラインまたはデータラインに平行する方向に照射されることを特徴とする請求項１５に記載の有機電界発光表示装置の製造方法。
【請求項１７】
前記隣接した２つの画素の第２半導体層の延長する長手方向との間の角度差が一定であるように形成することを特徴とする請求項１４に記載の有機電界発光表示装置の製造方法。
【請求項１８】
前記保護膜上に、平坦化膜を形成する工程をさらに含むことを特徴とする請求項１４に記載の有機電界発光表示装置の製造方法。
【発明の詳細な説明】
【技術分野】
【０００１】
本発明は、有機電界発光表示装置及びその製造方法に関し、特に、本発明は発光有機物質を用いてイメージを実現する有機電界発光表示装置及びその製造方法に関するものである。
【背景技術】
【０００２】
有機電界発光表示装置は、平板表示装置の１つであって、液晶表示装置に比べて輝度特性及び視野角特性が優れるので、バックライト(Back Light)が必要でなく、超薄型に実現することができる利点がある。
【０００３】
上記有機電界発光表示装置は、駆動方法によって受動駆動(Passive matrix)方式と能動駆動(Active matrix)方式に分類され、能動駆動方式は薄膜トランジスタ(Thin Film Transistor ;TFT)を用いる回路を有する。そして、薄膜トランジスタに含まれる半導体層はレーザで結晶化されたポリシリコン膜を用いるが、結晶化の過程において縞の歪みなどのような不良が発生することがある。
【先行技術文献】
【特許文献】
【０００４】
【特許文献１】特開１９９７−２６０６８１号公報
【特許文献２】特開１９９７−３２１３１０号公報
【特許文献３】特開２００３−１９７６３０号公報
【発明の概要】
【発明が解決しようとする課題】
【０００５】
レーザを用いる結晶化法は、量産性や効率性を考慮し、エキシマレーザとして代表されるガスレーザ発振装置、またはヤグ(YAG)レーザとして代表される固体レーザ発振装置から出力されるビームスパット状のレーザビームを光学系により所定長さの線形レーザビームに加工して基板に照射するが、レーザの高い干渉性によって線形ビームの長軸及び短軸にスペックルが発生するため、基板に形成された多結晶シリコンの結晶均一性を減少させ、これによって、上記レーザビームが照射される方向に平行、または垂直に縞の歪みが発生する問題点があった。
【０００６】
また、上記のような縞の歪みを最小化するために、基板上に線形のレーザビームが所定角度を有して照射されるようにして、スペックルが発生したレーザビームが基板に分散されて照射されるようにする方法があるが、基板とレーザビームとの間に所定の角度がある場合、上記基板とレーザビームとの間の角度により加工時間が増加し、画素間のオーバーラップ領域の制御が困難となって生産性が悪くなるという問題点があった。
【０００７】
本発明は上記のような従来技術の問題点を解決するためのものであって、生産性の低下なしに、レーザ照射装置の発振レーザの出力不均一による縞の歪みを最小化することができる有機電界発光表示装置及びその製造方法を提供することに本発明の目的がある。
【課題を解決するための手段】
【０００８】
本発明の上記目的は、複数のスキャンラインと、上記スキャンラインと交差する複数のデータラインと、上記スキャンラインとデータラインとが交差する領域に位置する複数の画素とを含み、上記複数の画素はそれぞれ有機電界発光ダイオード、ゲート電極が上記スキャンラインに接続されて一側電極が上記データラインに接続されるスイッチングトランジスタ、上記有機電界発光ダイオードと電源電圧供給ライン間に接続されてゲート電極が上記スイッチングトランジスタの他側電極に接続される駆動トランジスタ及び上記駆動トランジスタのゲート電極と電源電圧供給ライン間に接続されるキャパシタを含み、上記スキャンラインまたはデータラインに沿って隣接した２つの画素は上記駆動トランジスタの半導体層が互いに異なる長手方向に延長する有機電界発光表示装置によって達成することができる。
【０００９】
本発明の上記目的は、データドライバによりデータ信号を伝達するための複数のデータラインとスキャンドライバによりスキャン信号を伝達するための複数のスキャンラインとが交差する領域に位置し、半導体層、ゲート絶縁膜、ソース／ドレイン電極及びゲート電極を備える複数の薄膜トランジスタによって有機電界発光ダイオードの発光が調節される複数の画素を含む有機電界発光表示装置において、上記複数の画素のうち上記スキャンラインまたはデータラインに沿って隣接する２つの画素は上記有機電界発光ダイオードと電気的に接続された薄膜トランジスタの半導体層が互いに異なる長手方向に延長する有機電界発光表示装置によって達成することができる。
【００１０】
本発明の上記目的は、複数のデータライン、複数のスキャンライン及び上記データラインとスキャンラインとが交差する領域に位置する複数の画素を含む有機電界発光表示装置の製造方法において、基板を提供する工程と、上記基板上に第１半導体層、ゲート絶縁膜、第１ソース／ドレイン電極、第２ソース／ドレイン電極及び第１ゲート電極を含むスイッチングトランジスタと第２半導体層、ゲート絶縁膜、第３ソース／ドレイン電極、第４ソース／ドレイン電極及び第２ゲート電極を含む駆動トランジスタを形成する工程と、上記スイッチングトランジスタの第１ゲート電極と接続される複数のスキャンライン及び上記スイッチングトランジスタの第１ソース／ドレイン電極または第２ソース／ドレイン電極と接続される複数のデータラインを形成する工程と、上記スイッチングトランジスタ及び駆動トランジスタ上に保護膜を形成する工程と、上記保護膜上に上記駆動トランジスタの第３ソース／ドレイン電極または第４ソース／ドレイン電極と接続される下部電極、１つまたは複数の発光層を含む有機膜層及び上部電極を含む有機電界発光ダイオードを形成する工程とを含み、上記スキャンラインまたはデータラインに沿って隣接した２つの画素に位置する第２半導体層が互いに異なる長手方向に延長する有機電界発光表示装置の製造方法によって達成することができる。
【発明の効果】
【００１１】
以上、説明したように本発明に係る有機電界発光表示装置及びその製造方法によれば、スキャンラインまたはデータラインに沿って隣接した２つの画素に位置する駆動トランジスタの半導体層が互いに異なる長手方向に延長されるように形成して上記隣接した２つの画素の駆動トランジスタ間の特性分布を誘発させることで、レーザを用いる結晶化法により多結晶シリコンを形成する場合に、生産性の低下なしに発振レーザの出力不均一による縞の歪みを緩和させることができる。
【図面の簡単な説明】
【００１２】
【図１】本発明の実施例に係る有機電界発光表示装置を示す回路図である。
【図２】図１の「Ａ」領域を示す本発明の実施例に係る有機電界発光表示装置の平面図である。
【図３】図２の切断線Ｉ−Ｉ’による断面図である。
【発明を実施するための形態】
【００１３】
以下、添付した図面を参照して、本発明の好適な実施形態を詳細に説明する。しかしながら、本発明は、ここで説明する実施形態に限定されるわけではなく、他の形態で具体化することができる。したがって、ここに（以下に）開示される実施形態は発明の開示を完全なものとすると共に、当業者に本発明の思想を十分に伝えるために提供されるものである。また、図面において、層及び領域の厚みは誇張されており、図示する形態が実際とは異なる場合がある。明細書の全体において同一の参照番号は、同一の構成要素を示す。
【００１４】
図１は本発明の実施例に係る有機電界発光表示装置を示す回路図であり、図２は図１の「Ａ」領域を示す本発明の実施例に係る有機電界発光表示装置の平面図である。
【００１５】
図１及び図２に示すように、本発明の実施例に係る有機電界発光表示装置は所定映像をディスプレイするための画素部１００、複数のデータラインＤ１〜Ｄｍを介して上記画素部１００にデータ信号を印加するためのデータドライバ１１０、及び複数のスキャンラインＳ１〜Ｓｎを介して上記画素部１００にスキャン信号を印加するためのスキャンドライバ１２０を含む。
【００１６】
上記画素部１００は、上記スキャン信号及びデータ信号により所定映像をディスプレイするためのものであって、上記データラインＤ１〜ＤｍとスキャンラインＳ１〜Ｓｎとが交差する領域に位置し、それぞれ有機電界発光ダイオードＥＬ、ゲート電極２４１が上記スキャンラインＳ１〜Ｓｎに接続され、一側電極が上記データラインＤ１〜Ｄｍに接続されて上記スキャン信号により上記データ信号を伝達するためのスイッチングトランジスタＴＲｓ、上記有機電界発光ダイオードＥＬと電源電圧供給ラインＥＬＶＤＤ間に接続されてゲート電極２４３が上記スイッチングトランジスタＴＲｓの他側電極に接続され、上記スイッチングトランジスタＴＲｓから伝達されるデータ信号により駆動電流を上記有機電界発光ダイオードＥＬに印加するための駆動トランジスタＴＲｄ、及び上記駆動トランジスタＴＲｄのゲート電極２４３と電源電圧供給ラインＥＬＶＤＤ間に接続されて上記データ信号を保存するためのキャパシタＣｓｔを含む複数の画素からなる。
ここで、上記スキャンラインＳ１〜ＳｎまたはデータラインＤ１〜Ｄｍに沿って隣接した２つの画素は、上記駆動トランジスタＴＲｄの半導体層２３０が互いに異なる長手方向Ｔ１〜Ｔ４に延長するように形成され、上記スキャンラインＳ１〜ＳｎまたはデータラインＤ１〜Ｄｍに沿って隣接した２つの画素の駆動トランジスタＴＲｄ間の特性分布を誘発させる。
【００１７】
レーザを用いる結晶化方法により発生する縞の歪みは、レーザの高い干渉性のため線形ビームの長軸及び短軸に発生したスペックル(speckle)によってレーザの照射方向の垂直方向または平行方向に位置する駆動トランジスタＴＲｄの半導体層２３０の電子移動度の差により発生するので、隣接した２つの画素の駆動トランジスタＴＲｄが互いに異なる長手方向Ｔ１〜Ｔ４に延長するようにして特性分布を誘発させた場合、上記線形ビームのスペックルによる電子移動度の差による輝度偏差を低減させて、縞の歪みを緩和させる。
【００１８】
ここで、上記縞の歪みはレーザの照射方向に垂直方向及び平行方向のうち、ある一方向またはすべての方向に発生することができるため、スキャンラインＳ１〜Ｓｎ及びデータラインＤ１〜Ｄｍに沿って隣接したすべての画素の駆動トランジスタＴＲｄは互いに異なる長手方向Ｔ１〜Ｔ４に延長するようにすることができる。
【００１９】
また、上記スキャンラインＳ１〜ＳｎまたはデータラインＤ１〜Ｄｍに沿って隣接した２つの画素に位置するスイッチングトランジスタＴＲｓの半導体層２２０も互いに異なる長手方向に延長するように形成することができるが、隣接した２つの画素の半導体層２２０、２３０が互いに異なる長手方向に延長させるためには所定面積を必要とするが、これによって、画素回路は複雑になったり発光面積が減少したりするので、隣接した画素に位置し、上記データ信号による駆動電流を生成して上記有機電界発光ダイオードＥＬに印加するための駆動トランジスタＴＲｄの半導体層２３０だけが互いに異なる長手方向Ｔ１〜Ｔ４に延長するように形成することが好ましい。
【００２０】
上記スキャンラインＳ１〜ＳｎまたはデータラインＤ１〜Ｄｍに沿って隣接した画素の駆動トランジスタＴＲｄ間の電子移動度の差が増加するほど縞の歪みは減少し、下記式のように、隣接した２つの画素の半導体層２３０間の電子移動度の差は隣接した２つの画素の駆動トランジスタＴＲｄの半導体層２３０の延長する長手方向Ｔ１〜Ｔ４との間の角度差θ１〜θ４に比例するので、隣接した２つの画素の駆動トランジスタＴＲｄの半導体層２３０の延長する長手方向Ｔ１〜Ｔ４との間の角度差は最大値を有することが好ましい。
【００２１】
ただし、上記隣接した２つの画素の駆動トランジスタＴＲｄの半導体層２３０の延長する長手方向Ｔ１〜Ｔ４との間の角度差が変更される場合、輝度不均一が誘発されうるという点から上記隣接した２つの画素の駆動トランジスタＴＲｄの半導体層２３０の延長する長手方向Ｔ１〜Ｔ４との間の角度差は同一であることが好ましい。
【００２２】
【数１】
2011085925.tif 000003
【００２３】
（ここで、Ｍｄは隣接した２つの画素の電子移動度の差、Ｗは駆動トランジスタの半導体層の幅、θ１及びθ２はデータラインに平行な線に基づいて隣接した２つの画素の駆動トランジスタの半導体層の長手方向の角である。）
【００２４】
図３は、図２の切断線Ｉ−Ｉ’による断面図である。
【００２５】
図２及び図３に示すように、本発明の実施例に係る有機電界発光表示装置の製造方法を説明する。まず、ガラスや合成樹脂、ステンレススチールなどのような材質に形成される基板２１０上に、非晶質シリコン層(図示せず)を積層し、エキシマレーザアニーリング(Excimer Laser Annealing：ＥＬＡ)結晶化法及び順次側面固相(Sequential Lateral Solidification：ＳＬＳ)結晶化法などのようなレーザを用いる結晶化方法により上記非晶質シリコンを多結晶シリコンに結晶化した後、上記多結晶シリコンをパターニングしてスイッチングトランジスタＴＲｓの第１半導体層２２０及び駆動トランジスタＴＲｄの第２半導体層２３０を形成する。
【００２６】
ここで、上記駆動トランジスタＴＲｄの第２半導体層２３０は所定長手方向Ｔ１〜Ｔ４に延長し、上記スキャンラインＳ１〜ＳｎまたはデータラインＤ１〜Ｄｍに沿って隣接した２つの画素は上記駆動トランジスタＴＲｄの第２半導体層２３０が互いに異なる長手方向Ｔ１〜Ｔ４に延長するように形成して、上記スキャンラインＳ１〜ＳｎまたはデータラインＤ１〜Ｄｍに沿って隣接した２つの画素の駆動トランジスタＴＲｄに特性分布を発生させる。
【００２７】
また、上記スイッチングトランジスタＴＲｓの第１半導体層２２０及び駆動トランジスタＴＲｄの第２半導体層２３０の結晶化のために、基板２１０に照射されるレーザビーム(図示せず)は基板２１０とレーザビームとの間に所定角度が発生した場合、工程時間の増加などのような生産性低下を考慮して上記基板２１０の一側面に平行するように照射することが好ましく、通常のスキャンラインＳ１〜Ｓｎ及びデータラインＤ１〜Ｄｍは、それぞれの基板２１０の一側面に平行するように形成されることを考慮して、上記スイッチングトランジスタＴＲｓの第１半導体層２２０及び駆動トランジスタＴＲｄの第２半導体層２３０の結晶化のために基板に照射されるレーザは上記スキャンラインＳ１〜ＳｎまたはデータラインＤ１〜Ｄｍに平行な方向で照射されて、上記スイッチングトランジスタＴＲｓの第１半導体層２２０及び駆動トランジスタＴＲｄの第２半導体層２３０が上記スキャンラインＳ１〜ＳｎまたはデータラインＤ１〜Ｄｍに平行な方向に結晶粒境界が位置する多結晶シリコンに形成させることが好ましい。
【００２８】
本発明による実施例は、上記基板２１０直上に非晶質シリコン層が形成されるものとして説明したが、上記非晶質シリコン層の結晶化工程時に上記基板２１０上の不純物が拡散することを防止するために、上記基板２１０上にシリコン窒化膜(ＳｉＮｘ)、シリコン酸化膜(ＳｉＯ２)、またはこれらの積層によりバッファ層(図示せず)を形成した後、上記非晶質シリコン層を積層し、上記非晶質シリコン層を結晶化することができる。
【００２９】
続いて、上記第１半導体層２２０及び第２半導体層２３０を含む基板２１０上にゲート絶縁膜２４０を積層する。ここで、上記ゲート絶縁膜２４０はシリコン酸化膜(ＳｉＯ２)、シリコン窒化膜(ＳｉＮｘ)、またはその積層構造を用いて形成することができる。
【００３０】
続いて、上記ゲート絶縁膜２４０上部にアルミニウム(Ａｌ)またはアルミニウム−ネオジム(Ａｌ−Ｎｄ)のようなアルミニウム合金の単一層やクロム(Ｃｒ)またはモリブデン(Ｍｏ)合金の上にアルミニウム合金が多重に積層されたゲート電極用金属層(図示せず)を形成し、上記ゲート電極用金属層を乾式または湿式エッチングして上記第１半導体層２２０の所定領域に対応され、上記スキャンラインＳ１〜Ｓｎに接続される第１ゲート電極２４１、上記第２半導体層２３０の所定領域に対応される第２ゲート電極２４３及び上記キャパシタＣｓｔのキャパシタ下部電極２４５を形成する。ここで、上記所定領域は後工程で形成される上記第１半導体層２２０及び第２半導体層２３０のチャンネル領域２２４、２３４である。
【００３１】
図２は、上記第１ゲート電極２４１とスキャンラインＳ１〜Ｓｎとが接触して上記第２ゲート電極２４３とキャパシタ下部電極２４５が接触することで示しているが、上記第１ゲート電極２４１、スキャンラインＳ１〜Ｓｎ、上記第２ゲート電極２４３及びキャパシタ下部電極２４５をそれぞれ形成し、コンタクトホールなどを介して上記第１ゲート電極２４１とスキャンラインＳ１〜Ｓｎ及び上記第２ゲート電極２４３とキャパシタ下部電極２４５をそれぞれ電気的に接続することができる。
【００３２】
次に、上記第１ゲート電極２４１及び第２ゲート電極２４３をマスクとして用いて上記第１半導体２２０及び第２半導体層２３０の一部を導電型の不純物をドーピングすることで、上記第１半導体層２２０の第１ソース／ドレイン領域２２２及び上記第２半導体層２３０の第２ソース／ドレイン領域２３２を形成し、上記第１半導体層２２０の第１ソース／ドレイン領域２２２との間及び上記第２半導体層２３０の第２ソース／ドレイン領域２３２との間が上記第１半導体層のチャンネル領域２２４及び第２半導体層２３０のチャンネル領域２３４になるようにする。ここで、上記不純物ドーピング工程は、第１ゲート電極２４１及び第２ゲート電極２４３が形成される前に上記基板２１０上にフォトレジストを形成して進行することができ、上記第１半導体層のチャンネル領域２２４及び第２半導体層２３０のチャンネル領域２３４の一部を低濃度の不純物にドーピングして漏洩電流を防止することもできる。
【００３３】
続いて、上記第１ゲート電極２４１及び第２ゲート電極２４３を含む基板２１０上に層間絶縁膜２５０を形成し、上記層間絶縁膜２５０及びゲート絶縁膜２４０をエッチングして上記第１ソース／ドレイン領域２２２の一部を露出させる第１コンタクトホール２２５、上記第２ソース／ドレイン領域２３２の一部を露出させる第２コンタクトホール２３５及び上記下部キャパシタ電極２４５の一部を露出させる第３コンタクトホール２４２を形成する。
【００３４】
続いて、上記第１コンタクトホール２２５、第２コンタクトホール２３５及び第３コンタクトホール２４２を含む層間絶縁膜２５０上部にモリブデンタングステン(ＭｏＷ)またはアルミニウム−ネオジム(Ａｌ−Ｎｄ)などの導電物質を積層した後、上記導電物質をパターニングして上記第１コンタクトホール２２５を介して第１ソース／ドレイン領域２２２に接続されて上記データラインＤ１〜Ｄｍに電気的に接続される第１ソース／ドレイン電極２５１、上記第１コンタクトホール２２５及び第３コンタクトホール２４２を介して第１ソース／ドレイン領域２２２とキャパシタ下部電極２４５とを電気的に接続される第２ソース／ドレイン電極２５１、上記第２コンタクトホール２３５を介して第２ソース／ドレイン領域２２２に接続されて電源電圧供給ラインＥＬＶＤＤと電気的に接続される第３ソース／ドレイン電極２５３、上記第２コンタクトホール２３５を介して第２ソース／ドレイン領域２２２に接続されて後続工程を介して形成される下部電極２８０に電気的に接続される第４ソース／ドレイン電極２５４及びキャパシタ上部電極２５５を形成し、スイッチングトランジスタＴＲｓ、駆動トランジスタＴＲｄ及びキャパシタＣｓｔを完成する。
【００３５】
本発明による実施例は、各画素が１つのスイッチングトランジスタＴＲｓ、駆動トランジスタＴＲｄ及びキャパシタＣｓｔを含むものとして説明したが、上記駆動トランジスタＴＲｄの閾値電圧を補償するための補償回路を備えた場合、複数のスイッチングトランジスタＴＲｓをさらに形成することができる。
【００３６】
また、本発明による実施例は、上記スイッチングトランジスタＴＲｓと駆動トランジスタＴＲｄがすべて半導体層上部にゲート電極が位置するトップゲート(top gate)構造を有するものとして説明したが、上記スイッチングトランジスタＴＲｓと駆動トランジスタＴＲｄは互いに異なる構造、すなわち上記スイッチングトランジスタＴＲｓまたは駆動トランジスタＴＲｄは半導体層下部にゲート電極が位置するボトムゲート(bottom gate)構造とすることができる。
【００３７】
次に、上記第１ないし第４ソース／ドレイン電極２５１、２５２、２５３、２５４を含む上記基板２１０上に、シリコン酸化物などの無機絶縁膜に形成される保護膜２６０及びアクリルなどの有機絶縁膜に形成される平坦化膜２７０を形成し、上記保護膜２６０及び平坦化膜２７０をエッチングし、上記第４ソース／ドレイン電極２５４の一部を露出させるビアホール２７２を形成する。ここで、本発明による実施例は、上記第１ないし第４ソース／ドレイン電極２５１、２５２、２５３、２５４を含む上記基板２１０上に保護膜２６０及び平坦化膜２７０をすべて形成するものとして説明したが、上記保護膜２６０及び平坦化膜２７０のうちいずれか１つだけを形成することができる。
【００３８】
続いて、上記ビアホール２７２を含む平坦化膜２７０上に導電性物質を積層し、上記導電性物質をパターニングして上記ビアホール２７２を介して上記第４ソース／ドレイン電極２５４に電気的に接続される下部電極２８０を形成した後、上記下部電極２８０を含む上記基板２１０上に上記下部電極２８０の一部を露出させて発光領域を定義する画素定義膜２９０を形成する。ここで、上記画素定義膜２９０は、ポリイマイド(polyimide)、ベンゾサイクロブチン系樹脂(benzocyclobutens series resin)、フェノール系樹脂(phenol resin)またはアクリレート(acrylate)で形成することができる。これらは単独または混合して用いることができる。
【００３９】
次に、図示していないが、上記画素定義膜２９０により定義された発光領域、すなわち上記画素定義膜２９０により露出された上記下部電極２８０の表面に１つまたは複数の発光層(図示せず)を含む有機膜(図示せず)及び上記有機膜上に位置する上部電極(図示せず)を形成してデータ信号及びスキャン信号に従って所定色を発光する有機電界発光ダイオードＥＬを完成する。
【００４０】
結果的に、本発明の実施例による有機電界発光表示装置及びその製造方法は、スキャンラインまたはデータラインに沿って隣接した２つの画素の駆動トランジスタが互いに異なる長手方向に延長する半導体層を有するようにして駆動トランジスタの特性分布を誘発することによって、発振レーザの出力不均一による縞の歪みを緩和することができる。
【符号の説明】
【００４１】
１００  画素部
２１０  基板
２２０  第１半導体層
２３０  第２半導体層
Ｔ１  第１半導体層の長手方向
Ｔ２  第２半導体層の長手方向
【図１】
2011085925.tif 000004
【図２】
2011085925.tif 000005
【図３】
2011085925.tif 000006